(57)【要約】【課題】特殊な加工を施す必要がなく、各構成部材の交換や、組立作業を容易に行うことができ、扉同士を円滑に同期動作させることができるようにする。【解決手段】筐体１の前面開口部２を、左扉４、中間扉６および右扉５との引違い扉３により開閉可能とし、左右両扉４，５の裏面に、左右のリンクバー８、９の一端８ａ，９ａを、それらの他端８ｂ，９ｂを、中間扉６の裏面に昇降可能に案内されるように設けた連動金具１０に、回動自在に連結する。連動金具１０を、中間扉６と平行に配置された平板状基板１２と、この基板１２の後方に離間して配置された背面板１３とで形成し、基板１２の後面に、左扉４、右扉５いずれか一方の扉４に一端８ａが連結されたリンクバー８の他端８ｂを回動自在に連結するとともに、背面板１３の後面に、他方の扉５に一端９ａが連結されたリンクバー９の他端９ｂを回動自在に連結する。【選択図】  図１
2008075438.tif 000002
【特許請求の範囲】
【請求項１】
筐体における前面の開口部を、順次前後に重畳して左右方向に移動自在に配置された左扉、中間扉、右扉の３枚の引違い扉により、開閉可能とするとともに、前記左右両扉の裏面に、左右１対のリンクバーの一端をそれぞれ回動自在に連結し、かつそれらの他端を、中間扉の裏面に、上下方向に沿って形成したガイドレールに昇降可能に案内されるように設けた連動金具に、それぞれ回動自在に連結し、扉開閉操作時に、各扉同士を、同期動作させるようにした引違い扉のリンク装置であって、
連動金具を、中間扉と平行に配置された平板状の基板と、この基板の後方に離間して配置された背面板とで形成し、基板の後面に、左扉、右扉のいずれか一方の扉に一端が連結されたリンクバーの他端を回動自在に連結するとともに、背面板に、他方の扉に一端が連結されたリンクバーの他端を回動自在に連結したことを特徴とする引違い扉のリンク装置。
【請求項２】
基板の前面に、上下に離間して位置する１対のローラを回動自在に設け、これらローラを介して、連動金具をガイドレールに昇降可能に案内させたことを特徴とする請求項１記載の引違い扉のリンク装置。
【請求項３】
左右のリンクバーの他端を、連動金具における上下のローラ間に位置させて連結したことを特徴とする請求項２記載の引違い扉のリンク装置。
【請求項４】
左右のリンクバーの他端を、上下に離間して位置させて連結したことを特徴とする請求項１〜３のいずれかに記載の引違い扉のリンク装置。
【請求項５】
基板、および背面板に、円形孔と、この円形孔の内周縁を直径方向の外方に向けて切込んだ案内孔とからなる挿通孔をそれぞれ設け、左右のリンクバーの他端に回動軸部をそれぞれ設けるとともに、この回動軸部を、前記挿通孔の円形孔に整合しうる円形突起と、この円形突起の外周縁を直径方向の外方に向けて突出させた、前記挿通孔の案内孔に整合しうる係止片とで形成し、かつ回動軸部を挿通孔内に互いに整合させて挿通させた後、係止片と案内孔とが不整合位置となるように、リンクバーの他端を連結したことを特徴とする請求項１〜４のいずれかに記載の引違い扉のリンク装置。
【請求項６】
挿通孔の案内孔と回動軸部の係止片との整合位置を、扉開閉操作時におけるリンクバーの回動範囲外に設定したことを特徴とする請求項５記載の引違い扉のリンク装置。
【請求項７】
連動金具に設けられ、かつ中間扉より前方に位置する左扉側の側方に向かって突出させたストッパ片と、鍵装置の施錠動作に連動するデッドボルトと、このデッドボルトに一端が連動する作動杆と、この作動杆の他端に設けられ、かつ前記ストッパ片の扉閉時における上方移動を阻止する鉤状部とにより、リンクロック機構を構成し、このリンクロック機構を介して、扉の施錠を行うようにしたことを特徴とする請求項１〜６のいずれかに記載の引違い扉のリンク装置。
【請求項８】
左右１対のリンクバーを、扉における上下方向に離間した複数の位置に設けたことを特徴とする請求項１〜７のいずれかに記載の引違い扉のリンク装置。
【請求項９】
扉における上下方向に離間した複数の位置に設けた複数対のリンクバーにおいて、連動金具に連結する各左右のリンクバーの他端を、上下方向に長尺な１つの共通の連動金具に連結したことを特徴とする請求項８記載の引違い扉のリンク装置。
【発明の詳細な説明】
【技術分野】
【０００１】
本発明は、キャビネット等の筐体における前面開口部を、互いに同期作動するようにした３枚の引違い扉により、開閉させうるようにした引違い扉のリンク装置に関する。
【背景技術】
【０００２】
従来、オフィス等の執務空間で使用されるキャビネットにおいては、前面開口部を、左右１対のリンクバーを備えたリンク装置により互いに同期動作する、左扉、中間扉および右扉を前後して配置した３枚の引違い扉により開閉可能にするとともに、左右のリンクバーの一端を左右の扉に、それらの他端を、中間扉に上下方向に沿って設けたガイドレールに昇降自在なローラやスライダ等にそれぞれ同軸状に連結することにより、扉開閉操作時の操作性を高めるとともに、異音の発生を防止しうるようにしたものが知られている(特許文献１〜３参照)。
【０００３】
しかし、特許文献１〜３に記載のものでは、左右のリンクバーの端部同士、およびローラ等を、かしめ等の特殊な加工により連結しているため、各構成部材の組立作業に手間を要し、面倒であるばかりでなく、破損や製作誤差等によって、構成部材の動作に違和感が発生した場合には、装置の全てを交換しなければならず、費用がかかるという問題があった。
【特許文献１】特許第３３８２８７７号公報
【特許文献２】特開２００５−１８８０６６号公報
【特許文献３】特開２００３−１５５８７２号公報
【発明の開示】
【発明が解決しようとする課題】
【０００４】
本発明は、従来の技術が有する上記のような問題点に鑑み、かしめ等の特殊な加工を施す必要がなく、各構成部材の交換や、組立作業を容易に行うことができるとともに、扉同士を円滑に同期動作させることができるようにした引違い扉のリンク装置を提供することを目的とする。
【課題を解決するための手段】
【０００５】
本発明によると、上記課題は、次のようにして解決される。
(１)  筐体における前面の開口部を、順次前後に重畳して左右方向に移動自在に配置された左扉、中間扉、右扉の３枚の引違い扉により、開閉可能とするとともに、前記左右両扉の裏面に、左右１対のリンクバーの一端をそれぞれ回動自在に連結し、かつそれらの他端を、中間扉の裏面に、上下方向に沿って形成したガイドレールに昇降可能に案内されるように設けた連動金具に、それぞれ回動自在に連結し、扉開閉操作時に、各扉同士を、同期動作させるようにした引違い扉のリンク装置であって、連動金具を、中間扉と平行に配置された平板状の基板と、この基板の後方に離間して配置された背面板とで形成し、基板の後面に、左扉、右扉のいずれか一方の扉に一端が連結されたリンクバーの他端を回動自在に連結するとともに、背面板に、他方の扉に一端が連結されたリンクバーの他端を回動自在に連結する。
【０００６】
(２)  上記(１)項において、基板の前面に、上下に離間して位置する１対のローラを回動自在に設け、これらローラを介して、連動金具をガイドレールに昇降可能に案内させる。
【０００７】
(３)  上記(２)項において、左右のリンクバーの他端を、連動金具における上下のローラ間に位置させて連結する。
【０００８】
(４)  上記(１)〜(３)項のいずれかにおいて、左右のリンクバーの他端を、上下に離間させて位置させて連結する。
【０００９】
(５)  上記(１)〜(４)項のいずれかにおいて、基板、および背面板に、円形孔と、この円形孔の内周縁を直径方向の外方に向けて切込んだ案内孔とからなる挿通孔をそれぞれ設け、左右のリンクバーの他端に回動軸部をそれぞれ設けるとともに、この回動軸部を、前記挿通孔の円形孔に整合しうる円形突起と、この円形突起の外周縁を直径方向の外方に向けて突出させた、前記挿通孔の案内孔に整合しうる係止片とで形成し、かつ回動軸部を挿通孔内に互いに整合させて挿通させた後、係止片と案内孔とが不整合位置となるように、リンクバーの他端を連結する。
【００１０】
(６)  上記(５)項において、挿通孔の案内孔と回動軸部の係止片との整合位置を、扉開閉操作時におけるリンクバーの回動範囲外に設定する。
【００１１】
(７)  上記(１)〜(６)項のいずれかにおいて、連動金具に設けられ、かつ中間扉より前方に位置する左扉側の側方に向かって突出させたストッパ片と、鍵装置の施錠動作に連動するデッドボルトと、このデッドボルトに一端が連動する作動杆と、この作動杆の他端に設けられ、かつ前記ストッパ片の扉閉時における上方移動を阻止する鉤状部とにより、リンクロック機構を構成し、このリンクロック機構を介して、扉の施錠を行うようにする。
【００１２】
(８)  上記(１)〜(７)項のいずれかにおいて、左右１対のリンクバーを、扉における上下方向に離間した複数の位置に設ける。
【００１３】
(９)  上記(８)項において、扉における上下方向に離間した複数の位置に設けた複数対のリンクバーにおいて、連動金具に連結する各左右のリンクバーの他端を、上下方向に長尺な１つの共通の連動金具に連結する。
【発明の効果】
【００１４】
本発明によると、次のような効果が奏せられる。
請求項１記載の発明によると、連動金具を、中間扉と平行に配置された平板上の基板と、この基板の後方に離間して配置された背面板とで形成し、基板の後面に、左扉、右扉のいずれか一方の扉に一端が連結されたリンクバーの他端を回動自在に連結するとともに、背面板に、他方の扉に一端が連結されたリンクバーの他端を回動自在に連結しているため、かしめ等の特殊な加工を施す必要なく、各構成部材の交換や、組立作業を容易に行うことができるとともに、扉同士を円滑に同期動作させることができる。
【００１５】
請求項２記載の発明によると、基板の前面に、上下に離間して位置する１対のローラを回動自在に設け、これらローラを介して、連動金具をガイドレールに昇降可能に案内させているため、連動金具の昇降を安定して案内することができる。
【００１６】
請求項３記載の発明によると、連動金具における左右のリンクバーの他端を、上下のローラ間に位置させているため、リンクバーより伝達された扉の操作力を、中間扉に円滑に伝達することができる。
【００１７】
請求項４記載の発明によると、連動金具における左右のリンクバーの他端を、上下に離間させて位置させているため、各構成部材の交換や、組立ての際における作業性を向上させることができる。
【００１８】
請求項５記載の発明によると、連動金具の基板、および背面板に、円形孔と、この円形孔の内周縁を直径方向の外方に向けて切込んだ案内孔とからなる挿通孔を設けるとともに、左右のリンクバーの他端に設けた回動軸部に、挿通孔の円形孔、および案内孔に整合しうる円形突起、および係止片を形成し、かつ回動軸部を挿通孔内に挿通させた後、係止片と案内孔とが不整合位置となるように、リンクバーの他端を連結してあるため、各構成部材の交換や、組立作業を容易とすることができるとともに、かしめ等の特殊な加工をなくすことができる。
【００１９】
請求項６記載の発明によると、連動金具における挿通孔の案内孔と、リンクバーの他端における回動軸部の係止片との整合位置を、扉開閉操作時におけるリンクバーの回動範囲外に設定してあるため、連動金具とリンクバーの他端との連結が、意図せずに外れることがなく、確実に連結することができる。
【００２０】
請求項７記載の発明によると、連動金具に、中間扉より前方に位置する左扉側の側方に向かって突出させたストッパ片を、鍵装置の施錠動作に連動する鉤状部により、扉閉時における上方移動を阻止しうるように、リンクロック機構を構成し、このリンクロック機構を介して、扉の施錠を行うようにしてあるため、別途に施錠装置を用いることなく、リンクバーをロックすることができ、製作コストを削減することができる。
【００２１】
請求項８記載の発明によると、左右１対のリンクバーを、扉における上下方向に離間した複数の位置に設けてあるため、扉を上下方向に長寸とした場合においても、扉の開閉動作を円滑に行うことができる。
【００２２】
請求項９記載の発明によると、扉における上下方向に離間した複数の位置に設けた複数対のリンクバーにおいて、連動金具に連結する各左右のリンクバーの一端を、上下方向に長尺な１つの共通の連動金具に連結しているため、上下に位置する左右のリンクバーの動作を確実に同調させることができ、扉の開閉動作をより円滑に行うことができる。
【発明を実施するための最良の形態】
【００２３】
以下、本発明の実施形態を、図面を参照して説明する。
図１は、本発明の第１実施形態における引違い扉のリンク装置を備えるキャビネットの扉全閉状態を裏面側から見た正面図、図２は、図１におけるＩＩ−ＩＩ線横断平面図、図３は、扉全開状態を裏面側から見た全体正面図、図４は、図３におけるＩＶ−ＩＶ線横断平面図、図５は、扉全閉状態を裏面側から見た全体斜視図  図６は、連動金具と第１および第２のリンクバーとの連結状態を示す部分拡大分解斜視図、図７は、図２におけるＶＩＩ部分の拡大平面図、図８は、第１リンクバーとリンク受金具との連結状態を示す部分拡大分解斜視図、図９は、図２におけるＩＸ部分の拡大平面図、図１０は、第２リンクバーとリンク受金具との連結状態を示す部分拡大分解斜視図、図１１は、図２におけるＸＩ部分の拡大平面図、図１２は、リンクロック機構部分の拡大斜視図、図１３は、図７のＸＩＩＩ−ＸＩＩＩ線縦断側面図である。
なお、以下の説明において、左右とは、筐体を後方より見た場合について言い、また、図２における上方を「前方」、下方を「後方」とする。本実施形態においては、筐体として、オフィス等で使用されるキャビネットを例とする。
【００２４】
図１〜図５に示すように、キャビネット１における前面の開口部２は、引違い扉３により、開閉可能に閉塞されるようになっている。この引違い扉３は、図１、図２に示すように、左扉４、中間扉６および右扉５の３枚の扉を、図示を省略した前後３列の左右方向の溝またはレール内に、前方から後方に、順次前後に重畳しつつ、左右方向に移動自在に配置することにより構成されている。
【００２５】
引違い扉３は、その裏面の下部に設けたリンク装置７により、図１および図２に示す扉全閉状態から、図３および図４に示す扉全開状態にわたって、少なくとも左扉４または右扉５のいずれか一方を、把手４ａまたは５ａをもって開閉操作することにより、中間扉６を介して、各扉４、５、６同士を同期動作させうるようになっている。
【００２６】
リンク装置７は、左右１対の第１および第２リンクバー８、９と、連動金具１０とにより構成されている。第１リンクバー８の一端８ａは、中間扉６より前方に位置する左扉４の裏面に、第２リンクバー９の一端９ａは、中間扉６より後方に位置する右扉５の裏面に、それぞれ回動自在に連結されている。第１および第２リンクバー８、９の他端８ｂ、９ｂは、連動金具１０に回動自在に連結されている。
【００２７】
連動金具１０は、図６および図７に示すように、前面に、上下に離間して位置する１対のローラ１１、１１をそれぞれ回動自在に設けた扉の上下方向に延びる垂直な基板１２と、この基板１２の上部後方に離間して、一体的に平行に配置した背面板１３と、基板１２における左扉４側の側端部より前方に向かって連設した案内片１４と、この案内片１４の前端部１４ａの下部より左扉４側の左側方に向かって連設したストッパ片１５とにより形成されている。案内片１４の上下方向における中間の内側面には、スライダ１６が設けられている。
【００２８】
連動金具１０は、上下のローラ１１、１１を、中間扉６における左扉４側の端部裏面に上下方向に沿って形成したガイドレール１７に係合させるとともに、案内片１４の内側面を、スライダ１６を介して、中間扉６における上下方向に延びる縁外端面に、摺接もしくは近接しうるように配置することにより、昇降可能に案内されるようになっている。
【００２９】
基板１２の後面下部には、取付基部１２ａが、後方に向けて切り起し形成され、この取付基部１２ａの後面には、第１リンクバー８の他端８ｂが、また、背面板１３の後面には、第２リンクバー９の他端９ｂが、それぞれ同形の第１および第２挿通孔１８、１８'を介して連結されている。
【００３０】
第１および第２挿通孔１８、１８'には、各リンクバー８、９における他端８ｂ、９ｂの前面にそれぞれ設けた同形の第１および第２回動軸部１９、１９'が挿嵌されて、互いに回動自在に連結され、各リンクバー８、９の他端８ｂ、９ｂは、上下のローラ１１、１１間において、それぞれ上下および前後に離間しうるようになっている。
【００３１】
第１および第２挿通孔１８、１８'は、円形孔１８ａ、１８ａ'と、この円形孔１８ａ、１８ａ'の内周縁を直径方向の外方に向けて切込んだ案内孔１８ｂ、１８ｂ、１８ｂ'、１８ｂ'とで形成されている。第１および第２回動軸部１９、１９'は、基板１２または背面板１３の板厚分を残して、前記円形孔１８ａ、１８ａ'から突出しうるように整合する円形突起１９ａ、１９ａ'と、この円形突起１９ａ、１９ａ'の外周縁を直径方向の外方に向けて突出させ、かつ前記案内孔１８ｂ、１８ｂ、１８ｂ'、１８ｂ'に整合しうる係止片１９ｂ、１９ｂ、１９ｂ'、１９'とで形成されている。
【００３２】
各リンクバー８、９の他端８ｂ、９ｂと連動金具１０とは、各リンクバー８、９の他端８ｂ、９ｂにおける第１および第２回動軸部１９、１９'を、連動金具１０の第１および第２挿通孔１８、１８'内に、それぞれ互いに整合させて挿通させた後、係止片１９ｂ、１９ｂ、１９ｂ'、１９'と案内孔１８ｂ、１８ｂ、１８ｂ'、１８ｂ'との整合位置が、図６に想像線で示すように、扉開閉操作時における各リンクバー８、９の回動範囲外に設定されるように、言い換えれば、係止片１９ｂ、１９ｂ、１９ｂ'、１９ｂ'と案内孔１８ｂ、１８ｂ、１８ｂ'、１８ｂ'とが、各リンクバー８、９の回動範囲内において、常に不整合位置となるように組み付けることにより連結されている。
【００３３】
これにより、扉開閉操作時における各リンクバー８、９の回動範囲内においては、回動軸部１９、１９'が挿通孔１８、１８'から離脱することがなく、各リンクバー８、９を、連動金具１０に確実に連結することができるとともに、部品交換時における連動金具１０から各リンクバー８、９の取外し作業を、それぞれ独立して容易に行うことができるようになっている。
【００３４】
図８〜図１０に示すように、第１および第２リンクバー８、９のそれぞれの一端８ａ、９ａにおける前面には、それぞれ同形の第３および第４回動軸部２０、２０'が設けられている。第３および第４回動軸部２０、２０'は、前方から後方に向けて順に、大径軸２０ａ、２０ａ'、中径軸２０ｂ、２０ｂ'および小径軸２０ｃ、２０ｃ'の３段の軸径を有する。
【００３５】
第１および第２リンクバー８、９のそれぞれの第３および第４回動軸部２０、２０'は、左扉４および右扉５の裏面に取り付けた第１および第２リンク受金具２１、２２にそれぞれ設けた同形の第３および第４挿通孔２３、２３'に挿嵌されて、互いに回動自在に連結されている。
【００３６】
第３および第４挿通孔２３、２３'は、第３および第４回動軸部２０、２０'の大径軸２０ａ、２０ａ'が挿入可能な上部大径軸孔２３ａ、２３ａ'と、小径軸２０ｃ、２０ｃ'が挿入可能な中間軸孔２３ｂ、２３ｂ'と、中径軸２０ｂ、２０ｂ'が挿入可能な下部小径軸孔２３ｃ、２３ｃ'とが上下方向に連設された達磨孔形状を有する。
【００３７】
第１リンクバー８の一端８ａを第１リンク受金具２１に組み付けるには、図１０および図１１に示すように、第１リンク受金具２１の第３挿通孔２３に、第１リンクバー８の第３回動軸部２０を装着するに際し、上部大径軸孔２３ａ、２３ａに大径軸２０ａ挿入するとともに、小径軸２０ｃが中間軸孔２３ｂに至る位置まで挿入する。次いで、小径軸２０ｃを中間軸孔２３ｂを通して下降させて、下部小径軸孔２３ｃに落し込むとともに、下部小径軸孔２３ｃに中径軸２０ｂを整合させ、かつ第１リンクバー８の一端８ａにおける前面と、第１リンク受金具２１の後面との間に形成される間隙に、スペーサ部材２４を挿入し、小径軸２０ｃに噛み込ませるようにして装着する。
【００３８】
第２リンクバー９の一端９ａを第２リンク受金具２２に組み付けるには、図８および図９に示すように、第１リンクバー８と同様に、第２リンク受金具２２の第４挿通孔２３'に、第２リンクバー９の第４回動軸部２０を装着するに際し、上部大径孔２３ａ'に大径軸２０ａ'を挿入するとともに、小径軸２０ｃ'が中間軸孔２３ｂ'に至る位置まで挿入する。次いで、小径軸２０ｃ'を中間軸孔２３ｂ'を通して下降させて、下部小径孔２３ｃに落し込むとともに、下部小径孔２３ｃ'に中径軸２０ｂ'を整合させ、かつ第２リンクバー９の一端９ａにおける前面と、第２リンク受金具２２の後面との間に形成される間隙に、スペーサ部材２５を挿入し、小径軸２０ｃ'に噛み込ませるようにして装着する。
【００３９】
キャビネット１には、図１、図３、図５および図１２に示すように、鍵装置２６が、引違い扉３における左扉４の前面に設置されている。この鍵装置２６は、鍵(図示せず)の施錠／解錠操作による施錠動作に連動するデッドボルト２７を、左扉４の裏面に有する。このデッドボルト２７には、左扉４の裏面にブラケット２８をもって水平方向の軸廻りに回動自在に軸支された作動杆２９の一端の係合鈎２９ａが係合されている。
【００４０】
作動杆２９は、図１２に実線矢印で示すように、鍵装置２６の施錠動作によるデッドボルト２７の上下動作により、水平軸廻りの回動動作に変換しうるようになっている。作動杆２９の遊端部２９ｂには、後方に向けて鉤状に延出する鉤状部３０が設けられている。この鉤状部３０は、中間扉６に昇降自在に設けた連動金具１０におけるストッパ片１５の上方近傍に位置しうるように配置され、鍵装置２６の施錠動作に連動する作動杆２９の回動により、ストッパ片１５の可動範囲内に出没しうるようにし、引違い扉３の扉全閉状態におけるストッパ片１５の上方移動を阻止する、施錠装置としてのリンクロック機構を構成している。
【００４１】
リンクロック機構は、図１３に示すように、作動杆２９の遊端部２９ｂに設けた鉤状部３０の先端部３１を、扉全閉時における鍵装置２６の施錠動作により、連動金具１０におけるストッパ片１５の上端に向けて、上方から前後に傾倒回動させることにより、ストッパ片１５の背面にフック掛け可能に係合させるようにして、連動金具１０の上昇動作を阻止しうるようにしてある。
そのため、扉全閉時における鍵装置２６の施錠動作により、左扉４と中間扉６との間隔が広がることはない。
【００４２】
図１４は、本発明の第２実施形態における引違い扉のリンク装置を備えるキャビネットの扉全閉状態を、裏面から見た全体正面図である。
【００４３】
図１４に示すように、キャビネット３２の開口部３３を開閉する引違い扉３４において、左扉３５、中間扉３６および右扉３７の３枚の扉を開閉自在に連動させるリンク装置３８を、それぞれ上下方向に離間して１対設けたものである。上下のリンク装置３８、３８は、前記第１実施形態と同様に、それぞれ左右１対の第１および第２リンクバー３９、４０を備えている。
【００４４】
第１リンクバー３９の一端３９ａは、中間扉３６より前方に位置する左扉３５の裏面に、第１リンク受金具４１をもって回動自在に連結されており、第２リンクバー４０の一端４０ａは、中間扉３６より後方に位置する右扉３７の裏面に、第２リンク受金具４２をもって回動自在に連結されている。第１および第２リンクバー３９、４０の他端３９ｂ、４０ｂは、上下のリンク装置３８、３８間に跨る上下方向に長尺な１つの共通の連動金具４３に、それぞれ回動自在に連結されている。
【００４５】
連動金具４３の前面には、上下に離間して位置する３個の上部ローラ４４、中間部ローラ４５および下部ローラ４６がそれぞれ回動自在に装着されており、上部ローラ４４と中間部ローラ４５間、および中間部ローラ４５と下部ローラ４６間に、それぞれ上下のリンク装置３８、３８が、配置されている。
【００４６】
ローラ４４、４５、４６は、中間扉３６における左扉３５側の端部裏面に上下方向に沿って形成したガイドレール４７の係合溝４７ａに係合させてあり、これにより、連動金具４３が、扉３５、３６、３７の開閉動作に追従して、昇降可能に案内されるようになっている。
【図面の簡単な説明】
【００４７】
【図１】本発明の第１実施形態における引違い扉のリンク装置を備えるキャビネットの扉全閉状態を、裏面から見た全体正面図である。
【図２】図１におけるＩＩ−ＩＩ線横断平面図である。
【図３】扉全開状態を裏面から見た全体正面図である。
【図４】図３におけるＩＶ−ＩＶ線横断平面図である。
【図５】扉全閉状態を裏面から見た全体斜視図である。
【図６】連動金具と第１および第２のリンクバーとの連結状態を示す部分拡大分解斜視図である。
【図７】図２におけるＶＩＩ部分の拡大平面図である。
【図８】第１リンクバーとリンク受金具との連結状態を示す部分拡大分解斜視図である。
【図９】図２におけるＩＸ部分の拡大平面図である。
【図１０】第２リンクバーとリンク受金具との連結状態を示す部分拡大分解斜視図である。
【図１１】図２におけるＸＩ部分の拡大平面図である。
【図１２】リンクロック機構部分の拡大斜視図である。
【図１３】図７のＸＩＩＩ−ＸＩＩＩ線縦断側面図である。
【図１４】本発明の第２実施形態における引違い扉のリンク装置を備えるキャビネットの扉全閉状態を、裏面から見た全体正面図である。
【符号の説明】
【００４８】
１    キャビネット（筐体）
２    開口部
３    引違い扉
４    左扉
４ａ  把手
５    右扉
５ａ  把手
６    中間扉
７    リンク装置
８    第１リンクバー
８ａ  一端
８ｂ  他端
９    第２リンクバー
９ａ  一端
９ｂ  他端
１０  連動金具
１１  ローラ
１２  基板
１２ａ  取付基部
１３  背面板
１４  案内片
１４ａ  前端部
１５  ストッパ片
１６  スライダ
１７  ガイドレール
１８  第１挿通孔
１８ａ  円形孔
１８ｂ  案内孔
１８'  第２挿通孔
１８ａ'  円形孔
１８ｂ'  案内孔
１９  第１回動軸部
１９ａ  円形突起
１９ｂ  係止片
１９'  第２回動軸部
１９ａ'  円形突起
１９ｂ'  係止片
２０  第３回動軸部
２０ａ  大径軸
２０ｂ  中径軸
２０ｃ  小径軸
２０'  第４回動軸部
２０ａ'  大径軸
２０ｂ'  中径軸
２０ｃ'  小径軸
２１  第１リンク受金具
２２  第２リンク受金具
２３  第３挿通孔
２３ａ  上部大径軸孔
２３ｂ  中間軸孔
２３ｃ  小径軸孔
２３'  第４挿通孔
２３ａ'  上部大径軸孔
２３ｂ'  中間軸孔
２３ｃ'  小径軸孔
２４  スペーサ部材
２５  スペーサ部材
２６  鍵装置
２７  デッドボルト
２８  ブラケット
２９  作動杆
２９ａ  係合鈎
２９ｂ  遊端部
３０  鉤状部
３１  先端部
３２  キャビネット（筐体）
３３  開口部
３４  引違い扉
３５  左扉
３６  中間扉
３７  右扉
３８  リンク装置
３９  第１リンクバー
３９ａ  一端
３９ｂ  他端
４０  第２リンクバー
４０ａ  一端
４０ｂ  他端
４１  第１リンク受金具
４２  第２リンク受金具
４３  連動金具
４４  上部ローラ
４５  中間部ローラ
４６  下部ローラ
４７  ガイドレール
４７ａ  係合溝
【図１】
2008075438.tif 000003
【図２】
2008075438.tif 000004
【図３】
2008075438.tif 000005
【図４】
2008075438.tif 000006
【図５】
2008075438.tif 000007
【図６】
2008075438.tif 000008
【図７】
2008075438.tif 000009
【図８】
2008075438.tif 000010
【図９】
2008075438.tif 000011
【図１０】
2008075438.tif 000012
【図１１】
2008075438.tif 000013
【図１２】
2008075438.tif 000014
【図１３】
2008075438.tif 000015
【図１４】
2008075438.tif 000016